(57)【要約】本発明は、広告情報の利用による認証情報を生成し、前記認証情報の生成の際に一定比率の情報消費料を支給するか又は支給されるように構成される会員端末と、前記会員端末から伝送される広告情報登録要請に含まれた広告情報を登録し、登録された広告情報のうちブロックチェーン（Ｂｌｏｃｋ  Ｃｈａｉｎ）を用いて良広告情報と不良広告情報を選別して不良広告情報のみ除去し、良広告情報のみを前記会員端末に伝送する広告プラットホームサーバーと、前記会員の情報及び広告情報を保存し、前記会員端末に情報消費料を支給するように情報消費料要請信号を生成する会員管理サーバーと、前記会員管理サーバーから前記情報消費料要請信号が伝送され、前記情報消費料を前記会員端末に支給する金融サーバーとを含むことを特徴とする。【選択図】  図１
2021534479.tif 000002
【特許請求の範囲】
【請求項１】
広告消費者及び一般消費者を含む会員の会員加入がなされ、前記広告消費者が登録した広告情報を表示し、前記広告情報の利用による認証情報を生成し、前記認証情報の生成の際に一定比率の情報消費料を支給するか又は支給されるように構成される会員端末と、
前記会員端末から広告情報登録要請信号が伝送されるとき、前記広告情報登録要請信号に含まれた広告情報を登録し、登録された前記広告情報のうちブロックチェーン（Ｂｌｏｃｋ  Ｃｈａｉｎ）を用いて良広告情報と不良広告情報を選別し、前記不良広告情報のみ除去し、前記良広告情報のみを前記会員端末に伝送する広告プラットホームサーバーと、
前記会員端末及び前記広告プラットホームサーバーと連動し、前記会員の情報及び広告情報を保存し、前記認証情報の受信の際、前記会員端末に情報消費料を支給するように情報消費料要請信号を生成する会員管理サーバーと、
前記会員管理サーバーから前記情報消費料要請信号が伝送され、前記情報消費料を前記会員端末に支給する金融サーバーと、を含むことを特徴とする、ブロックチェーンを用いた広告情報プラットホームサービス提供システム。
【請求項２】
前記広告消費者は、いずれか一分野についての広告情報を登録する広告主の役割をするか、又は前記いずれか一分野を含む全ての広告情報を用いるための消費者の役割を全部遂行することを特徴とする、請求項１に記載のブロックチェーンを用いた広告情報プラットホームサービス提供システム。
【請求項３】
前記会員端末は、
前記会員の会員加入を案内し、広告情報を登録するための広告情報登録要請信号を生成して前記会員管理サーバーに伝送する加入案内部と、
前記広告プラットホームサーバーと連動して前記広告情報登録要請信号に対応する広告情報を表示する広告情報表示部と、
前記広告情報利用の際、前記広告情報に対するサービス利用決済完了信号と利用後記メッセージからなる認証情報を生成して前記会員管理サーバーに伝送し、前記認証情報に対応する一定比率の情報消費料を支給するか、又は一定比率の前記情報消費料を支給される消費認証部と、
前記広告情報を登録した会員と登録された広告情報を用いた会員を分類し、分類された会員の状態によって前記会員管理サーバーから広告リスト情報及び情報消費料リスト情報を受ける広告及び消費情報提供部と、を含むことを特徴とする、請求項１に記載のブロックチェーンを用いた広告情報プラットホームサービス提供システム。
【請求項４】
前記広告プラットホームサーバーは、
前記会員端末と連動して広告情報登録要請信号を受信し、前記広告情報登録要請信号に含まれた広告情報と前記会員管理サーバーで算定した情報消費料の支給比率情報を伝送する広告情報登録部と、
前記広告情報登録要請信号の伝送の際、前記広告情報のカテゴリーを分析し、分析されたカテゴリー結果によって前記広告情報を配置する広告情報分類部と、
前記広告情報分類部によって分類された広告情報をブロックチェーン（Ｂｌｏｃｋ  Ｃｈａｉｎ）を用いて不良広告情報及び良広告情報に選別する広告情報選別部と、
前記良広告情報を前記カテゴリーに配置し、配置された前記良広告情報を前記会員端末に提供する広告情報プラットホーム提供部と、を含むことを特徴とする、請求項１に記載のブロックチェーンを用いた広告情報プラットホームサービス提供システム。
【請求項５】
前記会員管理サーバーは、
前記情報消費料要請信号を生成し、前記会員端末の要請の際、広告リスト情報及び情報消費料リスト情報を提供する会員情報管理部と、
前記情報消費料の支給比率を算定し、前記情報消費料要請信号を前記金融サーバーに伝送する情報消費料管理部と、
前記会員情報管理部及び前記情報消費料管理部から伝送される情報及びデータを保存するデータベースと、を含むことを特徴とする、請求項１に記載のブロックチェーンを用いた広告情報プラットホームサービス提供システム。
【請求項６】
前記会員情報管理部は、既存会員が新規会員を誘致し、前記新規会員が広告情報を用いるときに支給される情報消費料の一定比率を前記新規会員を誘致した前記既存会員に支給するように加入誘致手数料情報を生成し、生成された前記加入誘致手数料情報を前記金融サーバーに伝送して、前記新規会員の加入を誘致した会員の前記会員端末に支給するように構成されることを特徴とする、請求項５に記載のブロックチェーンを用いた広告情報プラットホームサービス提供システム。
【発明の詳細な説明】
【技術分野】
【０００１】
本発明はブロックチェーンを用いた広告情報プラットホームサービス提供システムに関するもので、より詳しくは多様な分野についての広告情報を分類して提供し、ブロックチェーン（Ｂｌｏｃｋ  Ｃｈａｉｎ）を適用して広告情報の透明性を検証することによって透明な広告情報のみ提供し、消費が発生した場合にのみ広告費を支払うことにより、既存の不特定多数の人に一方的に提供して発生する広告費を節減することができるのはもちろんのこと、広告情報を用いた会員に一定比率の情報消費料を支給するブロックチェーンを用いた広告情報プラットホームサービス提供システムに関するものである。
【背景技術】
【０００２】
現時代にはインターネットやモバイルなどを介して多様な情報が提供されている。しかし、前記情報のうち信頼を担保している情報は極少数に過ぎず、特に広告の場合、誇大及び誇張広告、又は目的のために加工された情報などが歪曲したままで流布され、又は一方的に消費者に注入されている実情である。
【０００３】
特に、医療、法律のような特定分野の必要情報、又は広告情報の場合、第３者が提供するものではなく当該分野の関係者が加工した情報が大部分であるので、消費者が捜しにくいだけでなく、捜した情報に対しても信用することは困難がある。
【０００４】
一方、一般的に情報を流布するか、有用な情報を捜すために多くの財貨及び時間が消費されており、前記情報を流布した流布者は流布による効果を確信しにくく、情報を捜す消費者の場合、一方的な情報のみによって消費すると言っても、それによる何の補償も受けることができない。
【０００５】
よって、韓国登録特許第１０−１２１７１４２号公報には、使用者がモバイル広告プラットホームを介して広告主が登録した広告を選択して使用者自分のモバイル広告プラットホームに保存するか自動で受信された広告を一定の時間視聴すればペイバック（Ｐａｙ−Ｂａｃｋ）ポイントが自動で積立されるように構成され、また広告主が広告を執行するときに広告の到達率及び効果を増大させることができ、顧客を対象とするオーダーメード型ターゲットモバイル広告が可能であり、広告主の正確な効果の算出が可能であり、広告主が広告を執行するための国家及び地域と詳細地域、年齢及び性別、日付及び時間、位置、職業、趣味など別に広告対象と広告金額を特定することができて最も効率的に広告費用を支払う有無線連動収益還元式広告方法が含まれた両方向モバイル広告プラットホーム及びその広告方法が開示されている。
【０００６】
また、韓国公開特許第１０−２０１８−００６１７８４号公報には、使用者が使用者端末機を介して広告コンデンツを受ける場合、前記広告コンデンツに対応する積立金を割り当てることにより、前記広告コンデンツを受けることに対する動機を付与することができるモバイル広告プラットホーム提供サーバー及び方法が開示されている。
【０００７】
しかし、前述した先行技術文献によれば、単純に広告情報を使用者に提供することに過ぎず、特に前記広告情報を提供する広告業者に別途の広告費用が発生するか、又は使用者の広告利用率による過多な広告費用が発生し、広告費用に比べて広告効率性が落ちる問題点がある。
【０００８】
また、使用者（消費者）の側面では提供される広告情報の信頼性を確認することができない状態で用いるしかなく、特に消費者が誇張広告を提供する広告業者の分類が難しくて、虚偽広告、誇大及び誇張広告などを事とする不良業者から反復的な被害を受けるしかないから、前記広告情報を提供した広告業者だけでなく、広告プラットホームも信頼度を失うことになる問題点がある。
【先行技術文献】
【特許文献】
【０００９】
【特許文献１】韓国登録特許第１０−１２１７１４２号公報
【特許文献２】韓国公開特許第１０−２０１８−００６１７８４号公報
【発明の概要】
【発明が解決しようとする課題】
【００１０】
このような問題点を解決するために、本発明は前述した背景技術に鑑みて案出されたものであり、多様な分野についての広告情報を分類して提供し、ブロックチェーンを適用して広告情報の透明性を検証することにより、虚偽広告、誇大及び誇張広告などを事とする不良業者を選別及び退出して透明な広告情報のみを提供することができるブロックチェーンを用いた広告情報プラットホームサービス提供システムを提供することにその目的がある。
【００１１】
また、本発明は、会員が会員端末に掲示された広告情報によって消費を実施し、前記広告情報についての利用後記メッセージのような認証情報を提供した場合、現金、又は暗号貨幤からなる情報消費料を支給することにより、前記会員のより旺盛な活動がなされるようにするブロックチェーンを用いた広告情報プラットホームサービス提供システムを提供することにその目的がある。
【００１２】
また、本発明は、広告主は消費が発生した場合にのみ広告費を支払うことにより、既存の不特定多数の人に一方的に提供することによって発生する広告費用を節減することができ、会員の消費に比例して広告費が発生することにより、広告情報に対する会員の信頼度を確認することができるブロックチェーンを用いた広告情報プラットホームサービス提供システムを提供することにその目的がある。
【００１３】
また、本発明は、既存会員は新規会員を誘致することができ、新規会員から発生する情報消費料の一部を既存会員に支給することにより、会員の忠誠度を高めて前記会員の離脱率を最小化することができるブロックチェーンを用いた広告情報プラットホームサービス提供システムを提供することにその目的がある。
【課題を解決するための手段】
【００１４】
このような課題を達成するための本発明の一実施例によれば、広告消費者及び一般消費者を含む会員の会員加入がなされ、前記広告消費者が登録した広告情報を表示し、前記広告情報の利用による認証情報を生成し、前記認証情報の生成の際に一定比率の情報消費料を支給するか又は支給されるように構成される会員端末と、前記会員端末から広告情報登録要請信号が伝送されるとき、前記広告情報登録要請信号に含まれた広告情報を登録し、登録された広告情報のうちブロックチェーン（Ｂｌｏｃｋ  Ｃｈａｉｎ）を用いて良広告情報と不良広告情報を選別し、不良広告情報のみ除去し、良広告情報のみを前記会員端末に伝送する広告プラットホームサーバーと、前記会員端末及び広告プラットホームサーバーと連動し、前記会員の情報及び広告情報を保存し、前記認証情報の受信の際、前記会員端末に情報消費料を支給するように情報消費料要請信号を生成する会員管理サーバーと、前記会員管理サーバーから前記情報消費料要請信号が伝送され、前記情報消費料を前記会員端末に支給する金融サーバーとを含むことを特徴とする。
【００１５】
本発明の一実施例によれば、広告消費者は、いずれか一分野についての広告情報を登録する広告主の役割をするか、又は前記いずれか一分野を含む全ての広告情報を用いるための消費者の役割を全部遂行することを特徴とする。
【００１６】
本発明の一実施例によれば、前記会員端末は、前記会員の会員加入を案内し、広告情報を登録するための広告情報登録要請信号を生成して前記会員管理サーバーに伝送する加入案内部と、前記広告プラットホームサーバーと連動して前記広告情報登録要請信号に対応する広告情報を表示する広告情報表示部と、前記広告情報利用の際、前記広告情報に対するサービス利用決済完了信号と利用後記メッセージからなる認証情報を生成して前記会員管理サーバーに伝送し、前記認証情報に対応する一定比率の情報消費料を支給するか、又は前記一定比率の情報消費料を支給される消費認証部と、前記広告情報を登録した会員と登録された広告情報を用いた会員を分類し、分類された会員の状態によって前記会員管理サーバーから広告リスト情報及び情報消費料リスト情報を受ける広告及び消費情報提供部とを含むことを特徴とする。
【００１７】
本発明の一実施例によれば、前記広告プラットホームサーバーは、前記会員端末と連動して広告情報登録要請信号を受信し、前記広告情報登録要請信号に含まれた広告情報と前記会員管理サーバーで算定した情報消費料の支給比率情報を伝送する広告情報登録部と、前記広告情報登録要請信号の伝送の際、前記広告情報のカテゴリーを分析し、分析されたカテゴリー結果によって前記広告情報を配置する広告情報分類部と、前記広告情報分類部によって分類された広告情報をブロックチェーン（Ｂｌｏｃｋ  Ｃｈａｉｎ）を用いて不良広告情報及び良広告情報に選別する広告情報選別部と、前記良広告情報を前記カテゴリーに配置し、配置された前記良広告情報を前記会員端末に提供する広告情報プラットホーム提供部と、を含むことを特徴とする。
【００１８】
本発明の一実施例によれば、前記会員管理サーバーは、前記情報消費料要請信号を生成し、前記会員端末の要請の際、広告リスト情報及び情報消費料リスト情報を提供する会員情報管理部と、前記情報消費料の支給比率を算定し、前記情報消費料要請信号を前記金融サーバーに伝送する情報消費料管理部と、前記会員情報管理部及び情報消費料管理部から伝送される情報及びデータを保存するデータベースとを含むことを特徴とする。
【００１９】
本発明の一実施例によれば、前記会員情報管理部は、既存会員が新規会員を誘致し、前記新規会員が広告情報を用いるときに支給される情報消費料の一定比率を前記新規会員を誘致した既存会員に支給するように加入誘致手数料情報を生成し、生成された加入誘致手数料情報を前記金融サーバーに伝送して、前記新規会員の加入を誘致した会員の会員端末に支給するように構成されることを特徴とする。
【発明の効果】
【００２０】
このような本発明の実施例によれば、多様な分野についての広告情報を分類して提供し、ブロックチェーンを適用して広告情報の透明性を検証することにより、虚偽広告、誇大及び誇張広告などを事とする不良業者を選別及び退出して透明な広告情報のみを提供することができ、広告情報に対する信頼性を向上させることができる効果がある。
【００２１】
また、本発明の実施例によれば、会員が会員端末に掲示された広告情報によって消費を実施し、前記広告情報に対する利用後記メッセージのような認証情報を提供した場合、現金や暗号貨幤からなる情報消費料を支給することにより、前記会員のより旺盛な活動を誘導することができる効果がある。
【００２２】
また、本発明の実施例によれば、広告主は消費が発生した場合にのみ広告費を支払うことにより、既存の不特定多数の人に一方的に提供して発生する広告費用を節減することができ、会員の消費に比例して広告費が発生することにより、広告情報に対する会員の信頼度を確認することができる効果がある。
【００２３】
また、本発明の実施例によれば、既存会員は新規会員を誘致することができるようにし、新規会員から発生する情報消費料の一部を既存会員に支給することにより、会員の忠誠度を高めて前記会員の離脱率を最小化することができる効果がある。
【００２４】
さらに、本発明の多様でありながらも有益な利点と効果は上述した内容に限定されず、本発明の具体的な実施形態を説明する過程でより容易に理解することが可能であろう。
【図面の簡単な説明】
【００２５】
【図１】本発明の一実施例によるブロックチェーンを用いた広告情報プラットホームサービス提供システムを概略的に示す構成ブロック図である。
【図２】本発明の一実施例によるブロックチェーンを用いた広告情報プラットホームサービス提供システムの会員端末を示す構成ブロック図である。
【図３】本発明の一実施例によるブロックチェーンを用いた広告情報プラットホームサービス提供システムの広告プラットホームサーバーを示す構成ブロック図である。
【図４】本発明の一実施例によるブロックチェーンを用いた広告情報プラットホームサービス提供システムの会員管理サーバーを示す構成ブロック図である。
【図５】本発明の一実施例による広告プラットホームサーバーを介して広告情報を表示する状態を示す画面例示図である。
【図６】本発明の一実施例による広告プラットホームサーバーを介して広告情報を表示する状態を示す画面例示図である。
【図７】本発明の一実施例による広告プラットホームサーバーを介して広告情報を表示する状態を示す画面例示図である。
【発明を実施するための形態】
【００２６】
広告消費者及び一般消費者を含む会員の会員加入がなされ、前記広告消費者が登録した広告情報を表示し、前記広告情報の利用による認証情報を生成し、前記認証情報の生成の際に一定比率の情報消費料を支給するか又は支給されるように構成される会員端末と、
前記会員端末から広告情報登録要請信号が伝送されるとき、前記広告情報登録要請信号に含まれた広告情報を登録し、登録された広告情報のうちブロックチェーン（Ｂｌｏｃｋ  Ｃｈａｉｎ）を用いて良広告情報と不良広告情報を選別し、不良広告情報のみ除去し、良広告情報のみを前記会員端末に伝送する広告プラットホームサーバーと、
前記会員端末及び広告プラットホームサーバーと連動し、前記会員の情報及び広告情報を保存し、前記認証情報の受信の際、前記会員端末に情報消費料を支給するように情報消費料要請信号を生成する会員管理サーバーと、
前記会員管理サーバーから前記情報消費料要請信号が伝送され、前記情報消費料を前記会員端末に支給する金融サーバーとを含む。
【００２７】
図１は本発明の一実施例によるブロックチェーンを用いた広告情報プラットホームサービス提供システムを概略的に示す構成ブロック図、図２は本発明の一実施例によるブロックチェーンを用いた広告情報プラットホームサービス提供システムの会員端末を示す構成ブロック図、図３は本発明の一実施例によるブロックチェーンを用いた広告情報プラットホームサービス提供システムの広告プラットホームサーバーを示す構成ブロック図、図４は本発明の一実施例によるブロックチェーンを用いた広告情報プラットホームサービス提供システムの会員管理サーバーを示す構成ブロック図、図５〜図７は本発明の一実施例による広告プラットホームサーバーを介して広告情報が表示される状態を示す画面例示図である。
【００２８】
図示されるように、本発明のブロックチェーンを用いた広告情報プラットホームサービス提供システムは、会員に多様なカテゴリーの広告情報を提供する会員端末１００と、前記広告情報が登録され、登録された広告情報のうちブロックチェーン（Ｂｌｏｃｋ  Ｃｈａｉｎ）を用いて選別された不良広告情報を除いた広告情報を前記会員端末１００に伝送する広告プラットホームサーバー２００と、前記会員及び広告情報が保存され、前記広告情報によって消費による所定の情報消費料を支給するように構成される会員管理サーバー３００と、前記情報消費料を前記会員端末１００に支給する金融サーバー４００とを含んでなる。
【００２９】
会員端末１００は、広告消費者及び一般消費者を含む会員の会員加入がなされるようにする加入案内部１１０と、広告プラットホームサーバー２００と連動し、前記広告プラットホームサーバー２００から伝送される広告情報を表示する広告情報表示部１２０と、前記会員が前記広告情報によって消費を発生した場合、これに対する認証情報を生成するように構成される消費認証部１３０と、消費認証部１３０によって生成された認証情報及び前記認証情報生成による情報消費料を確認することができるように構成される広告及び消費情報提供部１４０とを含んでなる。
【００３０】
加入案内部１１０は、本発明の広告プラットホームサービス提供システムを用いる利用者の会員加入がなされるように案内し、会員加入の際、広告消費者としての会員と一般消費者としての会員を分類して、会員加入がなされるように案内する。
【００３１】
すなわち、本発明の会員端末１００は、前記加入案内部１１０によって分類された消費者の種類によって、広告消費者用会員端末と一般消費者用会員端末とからなることができる。
【００３２】
また、加入案内部１１０は、加入した会員が広告消費者の場合、広告情報を登録するための広告情報登録要請信号を生成して後述する広告情報登録部２１０に伝送するように構成される。
【００３３】
ここで、広告消費者は、特定分野についての広告情報を登録する広告主の役割をするか、又は特定分野を含む全ての広告情報を用いるための消費者の役割を全部遂行する消費者を意味し、一般消費者は前記広告情報を単純に用いるだけで、別途の広告情報を登録しない消費者を意味する。
【００３４】
一例として、本発明は、広告消費者としての会員が飲食店のような特定分野についての広告情報を登録しようとする飲食店事業主の場合、当該飲食店についての広告情報が登録されるようにするとともに広告消費者が前記飲食店が含まれたカテゴリーを除いた他のカテゴリーに属する広告情報によって消費が発生する場合、一般消費者と同様に前記消費に対する所定の情報消費料を支給されるようにする。
【００３５】
すなわち、特定の分野（例えば、飲食店分野）についての広告情報を登録した会員も広告情報利用による情報消費料を支給する支給者であることができ、また前記広告情報に相応するカテゴリーの他の広告情報、又は他の分野のカテゴリーに登録された広告情報を用いながら前記情報消費料を支給される支給対象者であることもできる。
【００３６】
また、加入案内部１１０は、前記利用者が広告消費者の場合、会員加入の際、広告プラットホームサーバー２００に登録すべき広告情報の消費による情報消費料の支給比率を選択するようにすることができる。
【００３７】
ここで、前記情報消費料の支給比率は後述する会員管理サーバー３００の情報消費料管理部３２０によって決定された比率であることができ、前記広告消費者は前記決定された比率を確認及び選択することができる。
【００３８】
このような加入案内部１１０は、前記利用者の会員加入が完了すれば、これについての会員加入情報を会員管理サーバー３００のデータベース３３０に伝送して保存し、広告消費者、又は一般消費者と同じ会員としての資格を付与する。
【００３９】
広告情報表示部１２０は広告プラットホームサーバー２００の広告情報提供部２４０と連動するように構成され、前記広告情報提供部２４０から伝送される広告情報を表示する構成要素である。
【００４０】
ここで、前記広告情報は会員端末１００のディスプレイ部を介して多数の広告消費者が登録した広告情報に相当するものであり、後述する広告情報選別部２３０によって選別された広告情報に相当するものである。
【００４１】
また、広告情報表示部１２０は、前記会員によって選択された広告情報についての詳細内容情報を表示するように構成される。
【００４２】
消費認証部１３０は、前記会員が広告情報表示部１２０を介して選択した広告情報によって消費が発生する場合、これに対する消費認証信号を生成して後述する会員管理サーバー３００に伝送し、消費した金額に対する一定比率の情報消費料を支給されるようにする構成要素である。
【００４３】
このような消費認証部１３０は、前記会員が前記選択した広告情報の詳細内容情報を確認し、確認結果、広告情報に対するサービスを受けるために前記広告情報に相当する業者のサービス利用信号を生成し、生成されたサービス利用信号を会員管理サーバー３００の会員情報管理部３１０に伝送する。
【００４４】
また、消費認証部１３０は、前記広告情報に対するサービス利用料金の決済の際、サービス利用決済完了信号を生成して会員情報管理部３１０に伝送するように構成される。
【００４５】
ここで、会員情報管理部３１０は、前記サービス利用決済完了信号の伝送の際、前記会員が選択した広告情報が用いられたことを確認する利用確認信号を生成して前記消費認証部１３０に伝送し、前記消費認証部１３０は、前記利用確認信号の受信有無によって前記会員に広告情報利用結果に対する利用後記メッセージを作成するように案内し、前記利用後記メッセージの作成が完了すれば、前記サービス利用決済完了信号と利用後記メッセージからなる認証情報を生成して会員情報管理部３１０に伝送し、前記認証情報に対応する情報消費料を支給するように構成される。
【００４６】
すなわち、本発明は、会員が広告情報表示部１２０に表示された広告情報によって消費すれば、これについての認証情報に基づいて現金や暗号貨幤からなる情報消費料を直ちに支給するように構成されるものであり、前記広告消費者は、前記広告情報によって消費が発生した場合にのみ広告費に相当する情報消費料を支給し、前記一般消費者は、広告情報によって消費した場合、一定比率の情報消費料を支給されることができるようになり、既存の不特定多数の人に一方的に提供して発生する広告費用を節減することができ、会員の消費に比例して広告費が発生することにより、広告情報に対する会員の信頼度を確認することができる。
【００４７】
一方、消費認証部１３０は、前記広告情報に対するサービス利用料金を決済するように無線通信を用いる通常の決済サービスを提供することができるが、これに限定されるものではない。
【００４８】
広告及び消費情報提供部１４０は、会員管理サーバー３００の会員情報管理部３１０と連動し、前記広告情報を登録した会員と登録された広告情報を用いた会員を分類し、分類された会員の状態によって広告リスト情報及び情報消費料リスト情報を提供する構成要素である。
【００４９】
すなわち、前記広告情報を登録した会員が広告リスト情報を要請する場合、広告プラットホームサーバー２００を介して登録した広告情報の利用有無、認証情報の生成有無、生成された認証情報の確認など、前記登録した広告情報の現在状態についての情報を提供するように構成されることができる。
【００５０】
また、前記広告情報を登録した会員が情報消費料リスト情報を要請する場合、広告プラットホームサーバー２００を介して登録した広告情報の利用によって支給された情報消費料についての情報を提供するように構成されることができる。
【００５１】
また、前記会員が一般消費者の場合、広告情報表示部１２０を介して表示された広告情報のうち用いた広告情報を確認することができるように広告リスト情報を提供し、前記広告情報の利用の際ごとに支給された情報消費料の累積状態、使用内訳などが含まれた情報消費料リスト情報を提供するように構成されることができる。
【００５２】
また、広告及び消費情報提供部１４０は、前記会員によって生成された認証情報のうち利用後記メッセージの修正及び削除などができるように構成されることができる。
【００５３】
広告プラットホームサーバー２００は、前記会員の中で広告消費者からなる会員の会員端末１００から広告情報登録要請信号が伝送されるとき、前記広告情報登録要請信号に含まれた広告情報が登録されるようにし、登録された広告情報のうちブロックチェーン（Ｂｌｏｃｋ  Ｃｈａｉｎ）を用いて良広告情報と不良広告情報を選別し、不良広告情報のみ除去し、良広告情報のみを前記会員端末１００の広告情報表示部１２０に伝送するものであり、広告情報登録部２１０、広告情報分類部２２０、広告情報選別部２３０、及び広告情報提供部２４０を含んでなる。
【００５４】
広告情報登録部２１０は、前記加入案内部１１０と連動して広告情報登録要請信号を受信し、前記広告情報登録要請信号に含まれた広告情報と後述する情報消費料支給比率情報をデータベース３３０に保存するとともに広告情報分類部２２０に伝送する。
【００５５】
また、広告情報登録部２１０は、前記広告情報登録要請信号が伝送されれば、前記登録すべき広告情報に対する情報消費料の支給比率を算定し、算定された情報消費料の支給比率情報を前記広告情報登録要請信号を生成及び伝送した会員端末１００に伝送することができる。
【００５６】
ここで、広告情報登録部２１０は、情報消費料支給比率情報の生成の際、広告情報分類部２２０によって分類されるカテゴリー別に異なるように算定することができ、算定基準としてはそれぞれのカテゴリーに既に配置された既存の広告情報の配置数によって決定することができるが、これに限定されるものではない。
【００５７】
広告情報分類部２２０は、前記広告情報登録部２１０を介して登録すべき広告情報が伝送されれば、前記広告情報のカテゴリーを分析し、分析されたカテゴリー結果によって前記広告情報が配置されるように構成される。
【００５８】
ここで、広告情報の配置は前記広告情報表示部１２０を介して表示される広告情報の表示位置であることができる。
【００５９】
すなわち、本発明の広告情報分類部２２０は、登録すべき広告情報の種類によってカテゴリー別に分類して表示することにより、いずれか特定分野に限定して広告情報を提供せず、多様な分野についての広告情報を分類して提供することができ、より幅広い会員加入を誘導することができ、これにより広告情報を用いる消費者の流入を一層極大化することができるようになる。
【００６０】
ここで、本発明の広告情報分類部２２０は、特定分野に限定してカテゴリーを設定せず、全ての産業分野、又は全ての職業や職種別に広告カテゴリーを設定するように構成されることができ、特に広告情報によって消費可能な分野であれば、産業、職業及び職種に限定せずに新規のカテゴリーを生成するように構成されることができる。
【００６１】
広告情報選別部２３０は、前記広告情報分類部２２０によって分類された広告情報の不良有無を検証し、検証結果、前記広告情報が不良広告情報の場合、広告情報表示部１２０を介して表示されることを遮断し、良広告情報のみが広告情報表示部１２０を介して表示されるようにすることにより、広告情報表示部１２０を介して表示される広告情報の信頼性を向上させて会員の消費満足度を高めることができるようにする。
【００６２】
ここで、不良広告情報は、誇張広告、虚偽広告、誇張広告に相当する広告情報であるか、又は認証情報に含まれた利用後記メッセージ情報の評価結果が平均評価結果値より一定数値だけ低くなるようになった広告情報であることができる。
【００６３】
また、広告情報選別部２３０は、検証された良広告情報のみを広告情報提供部２４０に伝送して、会員端末１００の広告情報表示部１２０を介して表示するように構成される。
【００６４】
このような広告情報選別部２３０は、ブロックチェーン（Ｂｌｏｃｋ  Ｃｈａｉｎ）を用いて前記広告情報を検証して良広告情報と不良広告情報を選別するように構成されることが好ましい。
【００６５】
よって、本発明は、前記ブロックチェーンを適用して広告情報の透明性を検証することにより、虚偽広告、誇大及び誇張広告などを提供する不良業者を選別及び退出して透明な広告情報のみ会員に提供することができる。
【００６６】
広告情報プラットホーム提供部２４０は、広告情報選別部２３０によって検証された前記良広告情報を広告情報分類部２２０によって分類されたカテゴリーに配置し、広告情報表示部１２０と連動して配置された良広告情報が表示されるようにする構成要素である。
【００６７】
会員管理サーバー３００は、前記会員情報及び広告情報を保存し、前記広告情報の消費の際に生成される認証情報が伝送されれば、所定の情報消費料を支給することができるように金融サーバー４００と連動するものであり、会員情報管理部３１０、情報消費料管理部３２０及びデータベース３３０を含んでなる。
【００６８】
会員情報管理部３１０は、前記消費認証部１３０から前記サービス利用決済完了信号が伝送されれば、これをデータベース３３０に保存するとともに利用確認信号を生成して前記消費認証部１３０に伝送することにより、サービス利用による利用後記メッセージが作成されるようにする。
【００６９】
また、会員情報管理部３１０は、前記サービス利用決済完了信号と利用後記メッセージのいずれか一つ又は両者からなる認証情報が消費認証部１３０から伝送されれば、これをデータベース３３０に保存するとともに、前記認証情報に対応する情報消費料の支給を要請する情報消費料要請信号を生成して情報消費料管理部３２０に伝送する。
【００７０】
また、会員情報管理部３１０は、広告及び消費情報提供部１４０の要請に応じてデータベース３３０に保存された会員が登録した広告情報又は前記会員が用いた広告情報を含む広告リスト情報と、前記登録した広告情報の利用によって支給された情報消費料又は前記広告情報の利用の際ごとに支給された情報消費料の累積状態、使用内訳などを含む情報消費料リスト情報を提供するように構成される。
【００７１】
一方、本発明の会員情報管理部３１０は、既存会員が新規会員を誘致し、前記新規会員が広告情報を用いるときに支給される情報消費料の一定比率を前記新規会員を誘致した既存会員に支給するように加入誘致手数料情報を生成し、生成された加入誘致手数料情報を金融サーバー４００に伝送して、前記新規会員の加入を誘致した会員の会員端末１００に支給するようにすることができる。
【００７２】
これにより、既存会員の忠誠度を高めることができ、前記会員の離脱率を最小化することができるようになる。
【００７３】
また、本発明の会員情報管理部３１０は、前記サービス利用信号が受信されれば、前記サービス利用信号を要請した会員（広告消費者又は一般消費者）の会員端末１００の情報を前記広告情報を登録した会員（広告消費者）の会員端末１００に伝送して、前記サービス利用信号を要請した会員が予約されるようにすることもできる。
【００７４】
情報消費料管理部３２０は、広告情報表示部１２０を介して表示される広告情報によって会員の消費が発生するときに支給する情報消費料の支給比率を算定することにより、前記広告情報分類部２２０によって分類されるカテゴリー別に支給比率を算定し、算定された支給比率についての情報をデータベース３３０に伝送して保存する。
【００７５】
このような情報消費料管理部３２０は、広告情報登録部２１０から情報消費料支給比率に対する要請信号が伝送されれば、既に算定された情報消費料の支給比率を会員端末１００の加入案内部１１０に伝送するように構成される。
【００７６】
また、情報消費料管理部３２０は、前記会員情報管理部３１０から情報消費料要請信号が伝送されれば、これを金融サーバー４００に伝送して、一定比率の情報消費料を会員端末１００に伝送するようにする。
【００７７】
一方、本発明の金融サーバー４００は、前記情報消費料要請信号が伝送されれば、消費が発生した広告情報を登録した会員端末１００に前記情報消費料管理部３２０によって算定された支給比率に対応する情報消費料の支給を要請し、前記会員端末１００から前記情報消費料が支給されれば、支給された情報消費料を前記広告情報によって認証情報を生成した会員端末１００に支給するように構成される。
【００７８】
よって、広告情報を登録した会員の場合、前記広告情報の登録時には別途の費用が発生せず、登録された広告情報によって消費が発生した場合にのみ一定比率の情報消費料を支給することにより、広告費を大幅に節減することができるというのは言うまでもない。
【００７９】
しかし、これに限定されるものではなく、前記広告情報を登録した会員の会員端末１００から予め一定金額の預置金を受け、前記情報消費料要請信号の伝送の際、予め算定された比率の情報消費料を支給するように構成されることもできる。
【符号の説明】
【００８０】
１００  会員端末
１１０  加入案内部
１２０  広告情報表示部
１３０  消費認証部
１４０  広告及び消費情報提供部
２００  広告プラットホームサーバー
２１０  広告情報登録部
２２０  広告情報分類部
２３０  広告情報選別部
２４０  広告情報提供部
３００  会員管理サーバー
３１０  会員情報管理部
３２０  情報消費料管理部
３３０  データベース
４００  金融サーバー
【図１】
2021534479.tif 000003
【図２】
2021534479.tif 000004
【図３】
2021534479.tif 000005
【図４】
2021534479.tif 000006
【図５】
2021534479.tif 000007
【図６】
2021534479.tif 000008
【図７】
2021534479.tif 000009
【国際調査報告】
2021534479.tif 000010
2021534479.tif 000011
2021534479.tif 000012
2021534479.tif 000013